(57)【要約】【課題】分光器における透過波長の誤差を低減する。【解決手段】制御電圧に応じた波長の光を透過させる分光器と、前記分光器の角度に関する角度情報を生成する情報生成部と、前記分光器に特定の波長の光を透過させるための前記制御電圧を前記角度情報に応じて設定する電圧設定部と、前記電圧設定部が設定する前記制御電圧により前記分光器を駆動する駆動制御部とを具備する分光システム。【選択図】図４
2019203780.tif 000002
【特許請求の範囲】
【請求項１】
制御電圧に応じた波長の光を透過させる分光器と、
前記分光器の角度に関する角度情報を生成する情報生成部と、
前記分光器に特定の波長の光を透過させるための前記制御電圧を前記角度情報に応じて設定する電圧設定部と、
前記電圧設定部が設定する前記制御電圧により前記分光器を駆動する駆動制御部と
を具備する分光システム。
【請求項２】
前記電圧設定部は、前記情報生成部による前記角度情報の生成毎に、複数の波長のうち１個の波長に対応する制御電圧を当該角度情報に応じて設定する
請求項１の分光システム。
【請求項３】
前記電圧設定部は、第１波長に対応する第１制御電圧と、前記第１波長とは異なる第２波長に対応する第２制御電圧とを、前記情報生成部が生成する第１角度情報に応じて設定し、
前記駆動制御部は、前記第１制御電圧と前記第２制御電圧とにより前記分光器を順次に駆動する
請求項１の分光システム。
【請求項４】
前記電圧設定部は、前記第１波長および前記第２波長とは異なる第３波長に対応する第３制御電圧を、前記第１角度情報の生成とは異なる時点で前記情報生成部が生成する第２角度情報に応じて設定し、
前記駆動制御部は、前記第１制御電圧と前記第２制御電圧と前記第３制御電圧とにより前記分光器を順次に駆動する
請求項３の分光システム。
【請求項５】
制御電圧に応じた波長の光を透過させる分光器の制御方法であって、
前記分光器の角度に関する角度情報を生成し、
前記分光器に特定の波長の光を透過させるための前記制御電圧を前記角度情報に応じて設定し、
前記制御電圧により前記分光器を駆動する
分光器の制御方法。
【発明の詳細な説明】
【技術分野】
【０００１】
本発明は、特定の波長の光を分光するための技術に関する。
【背景技術】
【０００２】
例えば生体情報の測定のために生体に照射される光を複数の波長の各々に分光するための各種の技術が従来から提案されている。例えば特許文献１には、相互に対向する一対の反射板を利用して特定の波長（以下「透過波長」という）の光を透過させるエタロンが開示されている。特許文献１に開示されたエタロンは、駆動電圧に応じて一対の反射板の間隔を制御することで透過波長が変化する波長可変干渉フィルターである。
【先行技術文献】
【特許文献】
【０００３】
【特許文献１】特開２０１５−７６５９号公報
【発明の概要】
【発明が解決しようとする課題】
【０００４】
特許文献１のエタロンを構成する一対の反射板の間隔は、例えば重力の影響で変動し得る。したがって、鉛直方向または水平方向に対するエタロンの角度に応じて、透過波長に誤差が発生するという課題がある。
【課題を解決するための手段】
【０００５】
以上の課題を解決するために、本発明の好適な態様に係る分光システムは、制御電圧に応じた波長の光を透過させる分光器と、前記分光器の角度に関する角度情報を生成する情報生成部と、前記分光器に特定の波長の光を透過させるための前記制御電圧を前記角度情報に応じて設定する電圧設定部と、前記電圧設定部が設定する前記制御電圧により前記分光器を駆動する駆動制御部とを具備する。
【０００６】
本発明の好適な態様に係る分光器の制御方法は、制御電圧に応じた波長の光を透過させる分光器の制御方法であって、前記分光器の角度に関する角度情報を生成し、前記分光器に特定の波長の光を透過させるための前記制御電圧を前記角度情報に応じて設定し、前記制御電圧により前記分光器を駆動する。
【図面の簡単な説明】
【０００７】
【図１】第１実施形態における生体解析装置の構成を例示するブロック図である。
【図２】分光器の断面図である。
【図３】制御電圧に設定に利用される参照テーブルの模式図である。
【図４】生体解析装置の機能的な構成を例示するブロック図である。
【図５】生体解析処理の手順を例示するフローチャートである。
【図６】第２実施形態における参照テーブルの模式図である。
【図７】第２実施形態における生体解析処理の手順を例示するフローチャートである。
【図８】変形例における生体解析装置の構成を例示するブロック図である。
【図９】変形例における生体解析装置の構成を例示するブロック図である。
【図１０】変形例における生体解析装置の構成を例示するブロック図である。
【発明を実施するための形態】
【０００８】
＜第１実施形態＞
図１は、本発明の第１実施形態に係る生体解析装置１００の構成図である。生体解析装置１００は、生体である被験者の生体情報を非侵襲的に測定する測定機器である。第１実施形態の生体解析装置１００は、被験者の血糖値を生体情報として測定する。被験者の身体のうち特定の部位（以下「測定部位」という）Ｈに光を照射することで血糖値が測定される。測定部位Ｈは、例えば掌、指、手首または上腕である。
【０００９】
生体解析装置１００は、制御装置１１と記憶装置１２と表示装置１３と角度検出器１４と検出装置２０とを具備する。表示装置１３は、測定結果を含む各種の情報を制御装置１１による制御のもとで表示する。例えば液晶表示パネルが表示装置１３として好適に利用される。検出装置２０は、測定部位Ｈの状態に応じた検出信号Ｄを生成する光学センサーモジュールである。第１実施形態の検出装置２０は、発光部２１と分光器２２と受光部２３とを具備する。
【００１０】
発光部２１は、測定部位Ｈに光を照射する光源である。第１実施形態の発光部２１は、波長が８００ｎｍから１３００ｎｍ程度である近赤外光を測定部位Ｈに照射する。ただし、発光部２１による出射光は近赤外光に限定されない。なお、相異なる波長の光を出射する複数の発光素子を発光部２１として利用してもよい。
【００１１】
測定部位Ｈに対する発光部２１からの入射光は、測定部位Ｈの内部を通過しながら拡散反射を繰返したうえで測定部位Ｈの外部に出射する。具体的には、測定部位Ｈの内部に存在する動脈（例えば、上腕動脈、橈骨動脈または尺骨動脈）等の血管と血管内の血液とを通過した光が、測定部位Ｈから検出装置２０に向けて出射する。
【００１２】
分光器２２は、測定部位Ｈからの出射光を分光する。分光器２２は、入射光のうち特定の透過波長の光を選択的に透過させる光学素子である。第１実施形態の分光器２２は、透過波長が可変である波長可変干渉フィルターである。例えばファブリ・ペロー型の干渉計が分光器２２として好適に利用される。なお、第１実施形態では、測定部位Ｈから受光部２３に至る光路上に分光器２２を配置した構成を例示するが、発光部２１から測定部位Ｈに至る光路上に分光器２２を配置してもよい。
【００１３】
図２は、分光器２２の具体的な構成を例示する断面図である。図２に例示される通り、分光器２２は、相互に間隔をあけて対向する第１基板３１と第２基板３２とを具備する。第１基板３１および第２基板３２は、発光部２１からの出射光を透過させる光透過性の平板材である。第１基板３１のうち第２基板３２との対向面には第１反射板３１１が形成され、第２基板３２のうち第１基板３１との対向面には第２反射板３２１が形成される。分光器２２に対する入射光のうち第１反射板３１１と第２反射板３２１との間隔Ｇに応じた透過波長の成分が当該分光器２２を透過する。
【００１４】
第１実施形態の分光器２２は、第１反射板３１１と第２反射板３２１との間隔Ｇを変化させる第１電極３１２と第２電極３２２とを具備する。第１電極３１２は、第１基板３１のうち第２基板３２との対向面に形成され、第２電極３２２は、第２基板３２のうち第１電極３１２との対向面に形成される。第１電極３１２と第２電極３２２との間の電圧（以下「制御電圧」という）Ｖに応じた静電引力が両電極間に作用することで第１反射板３１１と第２反射板３２１との間隔Ｇが制御される。以上の説明から理解される通り、第１実施形態の分光器２２は、制御電圧Ｖに応じた透過波長の光を透過させる。
【００１５】
なお、図２においては第１反射板３１１および第２反射板３２１の一対のみを例示したが、第１反射板３１１および第２反射板３２１の複数対を平面状に配列してもよい。また、第１反射板３１１と第２反射板３２１との間に制御電圧Ｖを印加することで両者間の間隔Ｇを制御することも可能である。すなわち、第１電極３１２および第２電極３２２は省略され得る。
【００１６】
図１に例示される通り、分光器２２による分光後の光は受光部２３に到達する。受光部２３は、受光強度に応じた検出信号Ｄを生成する。例えば、受光強度に応じた電荷を発生するフォトダイオード（ＰＤ：Photo Diode）等の受光素子が受光部２３として利用される。近赤外光を受光可能なＩｎＧａＡｓ（インジウムガリウム砒素）により光電変換層が形成された受光素子が受光部２３として好適である。分光器２２に設定された複数の透過波長の各々について検出信号Ｄが表す受光強度の分布が、測定部位Ｈの状態を反映した分光スペクトルとして特定される。なお、検出信号Ｄをアナログからデジタルに変換するＡ/Ｄ変換器の図示は便宜的に省略した。
【００１７】
角度検出器１４は、鉛直方向または水平方向に対する分光器２２の角度に応じた角度信号Ａを生成するセンサーである。具体的には、角度検出器１４は、角速度を検知するジャイロセンサー、加速度を検知する加速度センサー、傾斜角を検知する傾斜センサー、および、地磁気により方向を検知する地磁気センサー等の複数種のセンサーから選択された１種類以上のセンサーで構成される。なお、角度信号Ａをアナログからデジタルに変換するＡ/Ｄ変換器の図示は便宜的に省略した。角度信号Ａは、生体解析装置１００の姿勢に応じた信号とも換言される。
【００１８】
分光器２２の第１反射板３１１と第２反射板３２１との間隔Ｇは、重力の影響により、鉛直方向または水平方向に対する分光器２２の角度に応じて変化し得る。分光器２２の透過波長は、第１反射板３１１と第２反射板３２１との間隔Ｇに応じた波長に設定されるから、分光器２２の角度に応じて変化し得る。例えば、制御電圧Ｖを一定に維持した場合を想定すると、第１反射板３１１と第２反射板３２１とが鉛直方向に平行な状態と、第１反射板３１１と第２反射板３２１とが水平方向に平行な状態とでは、分光器２２の透過波長は僅かに相違し得る。以上の事情を考慮して、第１実施形態では、第１反射板３１１と第２反射板３２１との間隔Ｇが生体解析装置１００の角度に関わらず所望の透過波長に対応した間隔となるように、分光器２２の角度に応じて制御電圧Ｖを制御する。
【００１９】
記憶装置１２は、例えば不揮発性の半導体メモリーで構成され、制御装置１１が実行するプログラムと制御装置１１が使用する各種のデータとを記憶する。なお、制御装置１１の機能を複数の集積回路に分散した構成、または、制御装置１１の一部または全部の機能を専用の電子回路で実現した構成も採用され得る。また、図１では制御装置１１と記憶装置１２とを別個の要素として図示したが、記憶装置１２を内包する制御装置１１を例えばＡＳＩＣ（Application Specific Integrated Circuit）等により実現することも可能である。
【００２０】
第１実施形態の記憶装置１２は、図３に例示された参照テーブルＴを記憶する。参照テーブルＴは、図３に例示される通り、分光器２２に設定される複数の波長の各々について生体解析装置１００の角度毎に電圧（Ｖ000〜Ｖ920）が登録されたデータテーブルである。任意の１個の波長と任意の１個の角度との組合せについて参照テーブルＴに登録された電圧は、生体解析装置１００が当該角度にある状態で分光器２２の透過波長を当該波長に設定するために必要な制御電圧Ｖに設定される。すなわち、相異なる波長について別個の電圧が登録されるほか、任意の１個の波長については複数の角度の各々について別個の電圧が登録される。各波長および各角度に対応する電圧は、例えば実験または計算により事前に設定される。
【００２１】
制御装置１１は、ＣＰＵ（Central Processing Unit）またはＦＰＧＡ（Field-Programmable Gate Array）等の演算処理装置であり、生体解析装置１００の全体を制御する。図４は、制御装置１１の機能的な構成を例示するブロック図である。図４に例示される通り、第１実施形態の制御装置１１は、記憶装置１２に記憶されたプログラムを実行することで、血糖値を算定するための複数の機能（情報生成部４１，電圧設定部４２，駆動制御部４３、演算処理部４４）を実現する。なお、制御装置１１の機能を複数の集積回路に分散した構成、または、制御装置１１の一部または全部の機能を専用の電子回路で実現した構成も採用され得る。
【００２２】
情報生成部４１は、分光器２２の角度に関する角度情報Ｑを生成する。第１実施形態の情報生成部４１は、角度検出器１４が生成した角度信号Ａに応じて角度情報Ｑを生成する。角度情報Ｑは、鉛直方向または水平方向に対する分光器２２の角度を表す情報である。角度情報Ｑは、生体解析装置１００の姿勢を表す情報とも換言される。
【００２３】
電圧設定部４２は、情報生成部４１が生成した角度情報Ｑに応じて分光器２２の制御電圧Ｖを設定する。具体的には、電圧設定部４２は、Ｎ個（Ｎは２以上の自然数）の透過波長の各々について制御電圧Ｖを順次に設定する。制御電圧Ｖの設定には図３の参照テーブルＴが利用される。具体的には、任意の１個の透過波長については、当該波長について参照テーブルＴに登録された複数の電圧のうち、角度情報Ｑが表す角度に対応する電圧が、制御電圧Ｖとして選択される。すなわち、分光器２２の透過波長を任意の１個の波長に設定するための制御電圧Ｖは、角度情報Ｑが表す分光器２２の角度に応じて変化する。任意の１個の透過波長に対応する制御電圧Ｖが角度情報Ｑに応じて補正される構成、または、分光器２２の角度に依存した透過波長の誤差が角度情報Ｑに応じて補正される構成とも換言される。
【００２４】
図４の駆動制御部４３は、電圧設定部４２が設定した制御電圧Ｖにより分光器２２を駆動する。具体的には、駆動制御部４３は、電圧設定部４２が設定した制御電圧Ｖを分光器２２の第１電極３１２と第２電極３２２との間に印加する。以上の説明から理解される通り、制御電圧Ｖを分光器２２の角度に応じて制御することで、当該分光器２２の透過波長は、分光器２２の角度に関わらず目標の波長に維持される。すなわち、第１実施形態によれば、例えば重力の影響による透過波長の誤差が低減される。
【００２５】
演算処理部４４は、受光部２３が生成する検出信号Ｄから血糖値を算定する。具体的には、演算処理部４４は、検出信号Ｄが表す透過波長毎の受光強度の分布（すなわちスペクトル）から吸光スペクトルを生成し、吸光スペクトルから測定部位Ｈの血糖値を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法の好適例である。表示装置１３は、演算処理部４４が特定した血糖値を表示する。
【００２６】
図４に例示される通り、分光器２２と情報生成部４１と電圧設定部４２と駆動制御部４３とは、測定部位Ｈから到来する光を分光するための分光システム２００として機能する。
【００２７】
図５は、第１実施形態の制御装置１１が実行する生体解析処理Ｓaの具体的な手順を例示するフローチャートである。例えば利用者からの指示を契機として生体解析処理Ｓaが開始される。生体解析処理Ｓaを開始すると、制御装置１１は、Ｎ個の透過波長の何れか（以下「選択波長」という）を選択する（Ｓa1）。具体的には、生体解析処理Ｓaの開始の直後にはＮ個の透過波長のうち最も短い波長が選択され、ステップＳa1の実行毎に、直前の選択波長に対して長波長側に隣合う他の波長が、新たな選択波長として選択される。ただし、各選択波長の選択の順序は任意である。
【００２８】
情報生成部４１は、現時点での分光器２２の角度に関する角度情報Ｑを角度信号Ａに応じて生成する（Ｓa2）。電圧設定部４２は、情報生成部４１が生成した角度情報Ｑに応じて、選択波長に対応する制御電圧Ｖを設定する（Ｓa3）。具体的には、電圧設定部４２は、現時点の選択波長について参照テーブルＴに登録された複数の電圧のうち、角度情報Ｑが表す角度に対応する電圧を制御電圧Ｖとして設定する。駆動制御部４３は、電圧設定部４２が設定した制御電圧Ｖにより分光器２２を駆動する（Ｓa4）。したがって、分光器２２は、選択波長を透過する状態に制御される。演算処理部４４は、分光器２２が制御電圧Ｖにより駆動された状態で受光部２３が出力する検出信号Ｄから、選択波長に対応する受光強度を特定する（Ｓa5）。
【００２９】
制御装置１１は、Ｎ個の透過波長の全部について受光強度を特定したか否かを判定する（Ｓa6）。Ｎ個の透過波長について処理が完了していない場合（Ｓa6：NO）、制御装置１１は、現時点の選択波長に対して長波長側に隣合う１個の透過波長を新たな選択波長として選択する（Ｓa1）。以上の説明から理解される通り、角度情報Ｑの生成（Ｓa2）と、制御電圧Ｖの設定（Ｓa3）と、制御電圧Ｖによる分光器２２の駆動（Ｓa4）と、選択波長に対応する受光強度の特定（Ｓa5）とが、Ｎ個の透過波長の各々について順次に実行される。すなわち、情報生成部４１による角度情報Ｑの生成毎に、Ｎ個の透過波長のうち１個の波長に対応する制御電圧Ｖが当該角度情報Ｑに応じて設定される。図５のステップＳa1からステップＳa6は、分光器２２の制御方法の一例である。
【００３０】
Ｎ個の透過波長の全部について処理が完了すると（Ｓa6：YES）、演算処理部４４は、Ｎ個の透過波長についてそれぞれ特定したＮ個の受光強度を配列することで分光スペクトルを生成する（Ｓa7）。そして、演算処理部４４は、分光スペクトルから吸光スペクトルを生成する（Ｓa8）。なお、時間軸上の相異なる期間について生成された複数の吸光スペクトルを平均してもよい。演算処理部４４は、以上の手順で生成した吸光スペクトルから測定部位Ｈの血糖値を算定し（Ｓa9）、当該血糖値を表示装置１３に表示させる（Ｓa10）。
【００３１】
以上に説明した通り、第１実施形態では、分光器２２に特定の透過波長を透過させるための制御電圧Ｖが角度情報Ｑに応じて設定される。すなわち、鉛直方向または水平方向に対する分光器２２の角度に応じて制御電圧Ｖが設定される。したがって、分光器２２に作用する重力に起因した透過波長の誤差を低減することが可能である。
【００３２】
＜第２実施形態＞
本発明の第２実施形態を説明する。なお、以下の各例示において機能が第１実施形態と同様である要素については、第１実施形態で使用した符号を流用して各々の詳細な説明を適宜に省略する。なお、制御装置１１の機能的な構成は、第１実施形態と同様である。
【００３３】
図６は、第２実施形態において制御電圧Ｖの設定に使用される参照テーブルＴの模式図である。図６に例示される通り、第２実施形態では、Ｎ個の透過波長がＫ個を単位としてＭ個のグループ（以下「波長群」という）に区分される。記号Ｍおよび記号Ｋは、１以上の自然数を意味する。図６では、２１個（Ｎ＝２１）の波長群を３個単位（Ｋ＝３）で７個（Ｍ＝７）の波長群に区分した場合が例示されている。任意の１個の波長群は、Ｎ個の透過波長を昇順に配列した場合に相互に隣合うＫ個の透過波長で構成される。なお、各波長群を構成する透過波長の総数Ｋは任意である。また、各波長群を構成する透過波長の総数Ｋを波長群毎に相違させてもよい。
【００３４】
図７は、第２実施形態における生体解析処理Ｓbの具体的な手順を例示するフローチャートである。例えば利用者からの指示を契機として図７の生体解析処理Ｓbが開始される。生体解析処理Ｓbを開始すると、制御装置１１は、Ｍ個の波長群の何れか（以下「選択群」という）を選択する（Ｓb1）。具体的には、生体解析処理Ｓbの開始直後にはＭ個の波長群のうち最も短波長側の波長群が選択され、ステップＳb1の実行毎に、直前の選択群に対して長波長側に隣合う他の波長群が、新たな選択群として選択される。ただし、各波長群の選択の順序は任意である。
【００３５】
情報生成部４１は、現時点での分光器２２の角度に関する角度情報Ｑを角度信号Ａに応じて生成する（Ｓb2）。電圧設定部４２は、選択群を構成するＫ個の透過波長のうちの何れかを選択波長として選択する（Ｓb3）。例えば、選択群の選択（Ｓb1）の直後にはＫ個の透過波長のうち最も短い透過波長が選択され、ステップＳb3の実行毎に、直前の選択波長に対して長波長側に隣合う他の波長が、新たな選択波長として選択される。ただし、選択群に属するＫ個の透過波長の選択の順序は任意である。
【００３６】
電圧設定部４２は、情報生成部４１が生成した最新の角度情報Ｑに応じて、選択波長に対応する制御電圧Ｖを設定する（Ｓb4）。すなわち、電圧設定部４２は、現時点の選択波長について参照テーブルＴに登録された複数の電圧のうち、角度情報Ｑが表す角度に対応する電圧を制御電圧Ｖとして設定する。駆動制御部４３は、電圧設定部４２が設定した制御電圧Ｖにより分光器２２を駆動する（Ｓb5）。したがって、分光器２２は、選択波長を透過する状態に制御される。演算処理部４４は、制御電圧Ｖにより分光器２２が駆動された状態で受光部２３が出力する検出信号Ｄから、選択波長に対応する受光強度を特定する（Ｓb6）。
【００３７】
制御装置１１は、選択群のＫ個の透過波長の全部について受光強度を特定したか否かを判定する（Ｓb7）。Ｋ個の透過波長の全部について処理が完了していない場合（Ｓb7：NO）、制御装置１１は、現時点の選択波長に対して長波長側に隣合う１個の透過波長を新たな選択波長として選択する（Ｓb3）。以上の説明から理解される通り、制御電圧Ｖの設定（Ｓb4）と、制御電圧Ｖによる分光器２２の駆動（Ｓb5）と、選択波長に対応する受光強度の特定（Ｓb6）とが、選択群に属するＫ個の透過波長の各々について順次に実行される。１個の選択群に属するＫ個の透過波長の各々に対応する制御電圧Ｖの設定には、共通の角度情報Ｑが利用される。すなわち、第１実施形態では、Ｎ個の透過波長の各々について角度情報Ｑが個別に生成されるのに対し、第２実施形態では、Ｍ個の波長群の各々について角度情報Ｑが生成され、各波長群内のＫ個の透過波長については角度情報Ｑが共用される。
【００３８】
選択群のＫ個の透過波長について処理が完了すると（Ｓb7：YES）、制御装置１１は、Ｍ個の波長群の全部について以上の処理を実行したか否かを判定する（Ｓb8）。Ｍ個の波長群について処理が完了していない場合（Ｓb8：NO）、制御装置１１は、現時点の選択群に対して長波長側に隣合う１個の波長群を新たな選択群として選択する（Ｓb1）。ステップＳb1からステップＳb8は、分光器２２の制御方法の一例である。
【００３９】
任意の１個の波長群に属する第１波長および第２波長に着目する。電圧設定部４２は、第１波長に対応する第１制御電圧Ｖと、第２波長に対応する第２制御電圧Ｖとを、情報生成部４１が生成する共通の第１角度情報Ｑに応じて設定する。駆動制御部４３は、第１制御電圧Ｖと第２制御電圧Ｖとにより分光器２２を順次に駆動する。また、第１波長および第２波長とは別個の波長群に属する第３波長に着目する。第３波長は、第１波長および第２波長とは異なる透過波長である。電圧設定部４２は、第３波長に対応する第３制御電圧Ｖを、第１角度情報Ｑの生成とは異なる時点で情報生成部４１が生成する第２角度情報Ｑに応じて設定する。駆動制御部４３は、第１制御電圧Ｖと第２制御電圧Ｖと第３制御電圧Ｖとにより分光器２２を順次に駆動する。
【００４０】
Ｍ個の波長群について処理が完了した段階（Ｓb8：YES）では、Ｎ個の透過波長の各々について受光強度が特定されている。演算処理部４４は、相異なる透過波長について特定したＮ個の受光強度を配列することで分光スペクトルを生成する（Ｓb9）。そして、演算処理部４４は、分光スペクトルから吸光スペクトルを生成する（Ｓb10）。演算処理部４４は、以上の手順で生成した吸光スペクトルから測定部位Ｈの血糖値を算定し（Ｓb11）、当該血糖値を表示装置１３に表示させる（Ｓb12）。
【００４１】
以上に説明した通り、第２実施形態では、分光器２２に特定の透過波長を透過させるための制御電圧Ｖが角度情報Ｑに応じて設定される。したがって、第１実施形態と同様に、分光器２２に作用する重力に起因した透過波長の誤差を低減することが可能である。
【００４２】
また、第２実施形態では、各波長群に属するＫ個の透過波長について制御電圧Ｖの設定に共通の角度情報Ｑが利用される。したがって、Ｎ個の透過波長の各々について制御電圧Ｖを別個の角度情報Ｑに応じて設定する第１実施形態と比較して、制御電圧Ｖの設定の負荷が軽減されるという利点がある。
【００４３】
他方、Ｎ個の透過波長の各々について角度情報Ｑを生成する第１実施形態によれば、分光器２２の角度が動的に変化する場合でも、重力に起因した透過波長の誤差を高精度に低減することが可能である。なお、第２実施形態では角度情報Ｑが波長群毎に生成されるから、例えばＮ個の透過波長の全部について制御電圧Ｖの設定に共通の角度情報Ｑを利用する構成と比較すれば、分光器２２の角度が動的に変化する場合でも透過波長の誤差を高精度に低減できるという効果は実現される。なお、Ｎ個の透過波長の全部について共通の角度情報Ｑを利用する構成、すなわち、生体解析処理において角度情報Ｑの生成を１回だけ実行する構成も、本発明の範囲には包含される。
【００４４】
透過波長毎に角度情報Ｑが更新される第１実施形態では、生体解析装置１００を静止させた状態と、生体解析装置１００の角度を動的に変化させた場合とで、Ｎ個の透過波長の各々が相違し得る。他方、波長群毎に角度情報Ｑが生成される第２実施形態では、前述の通り、波長群を構成するＫ個の透過波長については共通の角度情報Ｑが利用される。したがって、生体解析装置１００を静止させた状態と生体解析装置１００の角度を動的に変化させた場合とでは、１個の波長群に対応する複数の透過波長が相違する。以上の傾向を前提とすると、生体解析装置１００を静止させた状態と生体解析装置１００の角度を動的に変化させた場合との間で、波長群内の複数の透過波長が共通する状態が観測された場合には、第２実施形態の構成を採用している可能性が高いと推定できる。
【００４５】
＜変形例＞
以上に例示した各形態は多様に変形され得る。具体的な変形の態様を以下に例示する。以下の例示から任意に選択された２以上の態様を適宜に併合することも可能である。
【００４６】
（１）前述の各形態で例示した生体解析装置１００を、相互に別体で構成された複数の装置で実現することも可能である。例えば、図８に例示される通り、相互に有線または無線で通信する検出ユニット５１と制御ユニット５２とで生体解析装置１００を実現してもよい。検出ユニット５１は、角度検出器１４と検出装置２０と駆動制御部４３とを具備する。制御ユニット５２は、制御装置１１と表示装置１３と記憶装置１２とを具備する。制御装置１１は、情報生成部４１と電圧設定部４２と演算処理部４４とを含んで構成される。制御ユニット５２は、例えば携帯電話機またはスマートフォン等の情報端末で実現される。
【００４７】
図９に例示される通り、相互に有線または無線で通信する検出ユニット５１と表示ユニット５３とで生体解析装置１００を実現してもよい。検出ユニット５１は、制御装置１１と記憶装置１２と角度検出器１４と検出装置２０とを具備し、表示ユニット５３は表示装置１３を具備する。また、図１０に例示される通り、検出ユニット５１と制御ユニット５２と表示ユニット５３とで生体解析装置１００を実現してもよい。検出ユニット５１は、角度検出器１４と検出装置２０と駆動制御部４３とを具備する。制御ユニット５２は、情報生成部４１と電圧設定部４２と演算処理部４４とを具備する。表示ユニット５３は表示装置１３を具備する。なお、各ユニットが担当する機能の切分けは、図８から図１０の例示に限定されない。
【００４８】
（２）前述の各形態で例示した生体解析装置１００の具体的な形態は任意である。例えば、被験者の手首に装着可能な腕時計型、被験者の身体に貼付可能なパッチ型、被験者の耳部に装着可能な耳装着型、被験者の指先に装着可能な指装着型（例えば着爪型）、または、被験者の頭部に装着可能な頭部装着型など、任意の形態の生体解析装置１００が採用され得る。
【００４９】
（３）前述の各形態では、被験者の血糖値を表示装置１３に表示したが、血糖値を被験者に報知するための構成は以上の例示に限定されない。例えば、血糖値を音声で被験者に報知することも可能である。また、血糖値を被験者に報知することは必須ではない。例えば、生体解析装置１００が算定した血糖値を通信網から他の通信装置に送信してもよい。また、生体解析装置１００の記憶装置１２や生体解析装置１００に着脱可能な可搬型の記録媒体に血糖値を格納してもよい。
【００５０】
（４）前述の各形態では、被験者の血糖値を生体情報として例示したが、生体解析装置１００により測定される生体情報は、以上の例示に限定されない。例えば、被験者のヘモグロビン濃度，血中酸素濃度，中性脂肪濃度等の各種の血液成分濃度を生体情報として測定してもよい。また、リンパ管におけるリンパ液成分の濃度、または、脳脊髄液の成分脳度の測定にも、前述の各形態に係る生体解析装置１００が利用され得る。人間以外の動物の生体情報の測定に生体解析装置１００を利用してもよい。また、果実等の植物における各種の成分濃度の測定にも生体解析装置１００は利用される。
【００５１】
（５）前述の各形態において制御装置１１により実現した複数の機能（例えば情報生成部４１，電圧設定部４２，駆動制御部４３，演算処理部４４）の一部または全部は、制御装置１１とプログラムとの協働により実現される。好適な態様に係るプログラムは、コンピューターが読取可能な記録媒体に格納された形態で提供されてコンピューターにインストールされ得る。また、配信サーバーが具備する記録媒体に格納されたプログラムを、通信網を介した配信の形態でコンピューターに提供することも可能である。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体を包含し得る。なお、非一過性の記録媒体とは、一過性の伝搬信号（transitory, propagating signal）を除く任意の記録媒体を含み、揮発性の記録媒体を除外するものではない。
【符号の説明】
【００５２】
１００…生体解析装置、２００…分光システム、１１…制御装置、１２…記憶装置、１３…表示装置、１４…角度検出器、２０…検出装置、２１…発光部、２２…分光器、２３…受光部、３１…第１基板、３１１…第１反射板、３１２…第１電極、３２…第２基板、３２１…第２反射板、３２２…第２電極、４１…情報生成部、４２…電圧設定部、４３…駆動制御部、４４…演算処理部、５１…検出ユニット、５２…制御ユニット、５３…表示ユニット。
【図１】
2019203780.tif 000003
【図２】
2019203780.tif 000004
【図３】
2019203780.tif 000005
【図４】
2019203780.tif 000006
【図５】
2019203780.tif 000007
【図６】
2019203780.tif 000008
【図７】
2019203780.tif 000009
【図８】
2019203780.tif 000010
【図９】
2019203780.tif 000011
【図１０】
2019203780.tif 000012